【事件の表示】
　平成３年特許願第１９９５９２号「電子内視鏡システム」拒絶査定に対する審判事件［平成４年１１月２７日出願公開、特開平４−３４１２３２］について、次のとおり審決する。
【結　論】
　本件審判の請求は、成り立たない。
【理　由】
１．手続の経緯・本願発明
　本願は、平成３年８月８日の出願であって、その請求項１に係る発明は、平成１２年１１月２９日付け手続補正書により補正された明細書及び図面の記載からみて、特許請求の範囲の請求項１に記載された次のとおりのものと認める。（以下「本願発明」という）
　（注：平成１３年４月９日付けの手続補正は、当審の平成１５年８月１９日の補正の却下の決定により却下された）
　「【請求項１】撮像素子を備えた内視鏡により得られた画像信号を入力する入力手段と、前記入力手段から入力した前記内視鏡からの前記画像信号を少なくとも含む複数の画像信号を合成して合成画像を生成する画像合成手段と、前記画像合成手段により生成された前記合成画像を所定の高解像度表示手段で表示するための高解像度テレビ信号に変換する信号変換手段と、前記信号変換手段により変換された高解像度テレビ信号を前記所定の高解像度表示手段に出力する出力手段と、を有することを特徴とする電子内視鏡システム。」　
２．引用例
　これに対して、原査定の拒絶の理由に引用された、本願の出願の日前に頒布された刊行物は、次のとおりである。
刊行物１．特開昭５８−２９４３９号公報
刊行物２．特開平２−２７７４３０号公報
刊行物３．特開平２−６５５７５号公報
　
刊行物１には、
　「本発明の広視野内視鏡像観察方法は、以上説明した内視鏡先端部２内の各ＳＩＴイメージセンサ６ａ〜６ｄからの出力信号を、信号回線７を介して各ＳＩＴイメージセンサの駆動手段を含む信号処理回路８に導き、この信号処理回路８により合成処理し、各対物光学系５ａ〜５ｄにより得られた内壁１の異なる部分画像を連続した広視野画像として一挙に、モニタテレビジョン受像器９で再生して観察するようにしたものである。」（第２頁左下欄第１７行−同頁右下欄第５行）、
　「各ＳＩＴイメージセンサの出力電気信号を合成して一つの画像として再生する」（第６頁左下欄末行−同頁右下欄第２行）、
　が記載されている。
　
刊行物２には、
　「第３図においてＣＣＤセンサ５１が装備された内視鏡スコープ５２は図示しない光源によって照明された体腔内光学像をこれに対応する電荷に変換する。次にこれらの電荷はカメラコントローラ５３によってビデオ信号に変換され、さらにＡ／Ｄ変換器５４においてディジタル信号に変換され、その後リアル像を記録再生するための画像メモリ５５に記録される。」（第２頁右上欄第９−１６行）、
　「この押しボタンスイッチ６２のＯＮ信号はメモリコントローラ５７に転送され、このメモリコントローラ５７はフリーズ像を記録再生するための画像メモリ５６にフリーズ像を作成し、その一方で画像メモリ５５にリアル像を記録する。」（第２頁左下欄第５−９行）、
　「例えば、メモリコントローラ５７からのアドレス信号はまず画像メモリ５６だけに供給され、しかも水平方向両端部の患部情報のない所は読み出さずに出力され、Ｄ／Ａ変換器５８を介してモニタ５９及び写真撮影用モニタ６０に供給される。この操作を繰り返しモニタの垂直方向の１／２程度の所まで逐次表示されると、リアル像を記録した画像メモリ５５へもアドレス信号が供給され、各水平走査線の後半部は画像メモリ５６に代わって画像メモリ５５からのリアル像が所定ピクセル数（例えば４ピクセル）を間引きしながらＤ／Ａ変換器５８を介してモニタ５９，６０に供給される。このようにして１フィールドが終了するとモニタには第４図（ｂ）の如く表示される。」（第２頁左下欄第１２−同頁右下欄第６行）、
　が記載され、
　第４図（ｂ）は、ＣＲＴモニタ画面の左側のメインモニタ部にフリーズ像が比較的大きく映し出され、その右側のサブモニタ部にリアル像が縮小されて映し出されるものであることを示している。
　
刊行物３には、
　「アスペクト比１６：９の高品位テレビジョン受信器の画面上にアスペクト比４：３の通常テレビジョン信号の画像を複数表示する映像再生機器の複数画面表示方式」（第１頁左下欄第６−９行）、
　「最近、現行ＮＴＳＣ方式テレビジョン受信機（以下、通常ＴＶと略す）よりも画質が優れた高品位テレビ（例えばＨＤＴＶ）は実用化が近いことから我国を初めとして各国で大きな期待がもたれている。ＨＤＴＶは走査線の数を１１２５本、アスペクト比を１６：９としたところに主たる特徴がある。」（第２頁左上欄末行−第２頁右上欄第６行）、
　が記載されている。
　
３．本願発明と刊行物２の発明の対比
　本願発明と刊行物２に記載された発明を対比すると、刊行物２に記載の「内視鏡で撮像し、リアル像を記録した画像メモリ５５及びフリーズ像を記録した画像メモリ５６を得、それらメモリ５５，５６から所定の合成画像を得るべくメモリコントローラ５７の働きにより、所定の順でメモリ５５，５６の情報を読み出してＤ／Ａ変換器に入力すること」が、本願発明の「撮像素子を備えた内視鏡により得られた画像信号を入力する入力手段と、前記入力手段から入力した前記内視鏡からの前記画像信号を少なくとも含む複数の画像信号を合成して合成画像を生成する画像合成手段」に相当し、刊行物２に記載の「ＣＲＴモニタ画面に、フリーズ像と縮小されたリアル像とから成る合成画像を第４図（ｂ）のように映し出すこと」が、本願発明の「合成画像を表示手段に出力する」に相当するから、両者の一致点及び相違点は、次のとおりである。
　（一致点）
　「撮像素子を備えた内視鏡により得られた画像信号を入力する入力手段と、前記入力手段から入力した前記内視鏡からの前記画像信号を少なくとも含む複数の画像信号を合成して合成画像を生成する画像合成手段と、前記画像合成手段により生成された前記合成画像を表示手段に出力する出力手段と、を有することを特徴とする電子内視鏡システム」
　である点。
　（相違点）
　本願発明は、合成画像を所定の高解像度表示手段で表示するための高解像度テレビ信号に変換する信号変換手段と、前記信号変換手段により変換された高解像度テレビ信号を前記所定の高解像度表示手段に出力する出力手段を具備するものであるのに、刊行物２は、合成画像を単にテレビジョン受像器に出力することしか記載がない点。
　
４．当審の判断
　前記相違点について検討すると、
　高解像度テレビジョン受像器は従来周知であり（刊行物３を参照。刊行物には「画質の優れた高品位テレビ」が記載されており、その例として走査線本数が従来のテレビジョン受像器の５２５本よりもさらに多い走査線本数が１１２５本であるＨＤＴＶが示されている）、また撮像に係る画像を表示するに際し、高解像度ではない従来のテレビジョン受像器に表示するよりも、高解像度テレビジョン受像器に表示した方が好ましいことは当然であるから、刊行物２に記載のものにおいて、合成画像を従来のテレビジョン受像器で表示することに代えて、高解像度テレビジョン受像器を用いて表示することは、当業者が予想できたものであり、これを阻害する要因が認められず、その際、合成画像を高解像度テレビジョン信号に変換してから高解像度表示手段に表示することは、当然の技術事項に過ぎない。
　なお、刊行物２の第４図（ｂ）の合成画像は、２つの分離した画像からなるものの全体が合成画像という場合であるが、合成画像には複数の部分画像がつながるように処理されてその全体が合成画像である場合もあり、これも従来周知（刊行物１を参照）であって、この合成画像の場合でも、これを高解像度表示手段に表示することは当業者が予想できたことにかわりはない。
５．結び
　したがって、本願発明は、刊行物１−３に記載された発明に基づいて当業者が容易に発明をすることができたものであるので、その余の請求項について検討するまでもなく、特許法第２９条第２項の規定により特許を受けることができない。